(57)【要約】      （修正有）【課題】陶芸用ロクロのターンテーブルに使用する、安価で軽量で、着脱が容易な陶芸用ロクロの飛散防止ガード帯装置を提供する。【解決手段】飛散防止ガード帯の外側１は、側面外側を防水コーティングした厚紙を使用し、内側２は波状突起部分半径２〜３ｍｍ波状の幅４〜６ｍｍの波状のボール紙を使用する。長さは、 外側部分はターンテーブルの外径＋２０ｍｍ、内側の波状の紙は外径と同じか短めとする。高さは、外側部分はターンテーブルの厚さ＋内側の高さ、内側部分は３０〜６０ｍｍであり、ターンテーブルに巻き付け、削りくずをガードするためには、重なった部分５に粘着テープまたは面ファスナーを使用して輪の状態にして使用する。また、突き合わせで輪にする場合は、外径と同じ長さで付き合わせた部分に幅広粘着テープを使用し輪の状態で上下端を挟むように固定し、ロクロのターンテーブル外周に設置して使用する。【選択図】図１
0003158528.tif 000002
【実用新案登録請求の範囲】
【請求項１】
手回し及び電動ロクロにおいて、粘土等の削りくずが回りに飛び散らないようにする為の機能を有する陶芸用ロクロターンテーブル飛散防止ガード帯。
【請求項２】
請求項1に記載の陶芸用ロクロターンテーブル飛散防止ガード帯は、 外側を防水加工した厚紙と波状の紙を使用して安価で軽量しかもリサイクルができ環境にも配慮されており、内側に貼り付けている波状の紙は、ターンテーブルからガード帯がずり落ちない役目とさらに外周の紙の強度を増すための役目もはたし、紙で出来ているため高さも自分で使いやすいようにカットできることを特徴としている陶芸用ロクロターンテーブル飛散防止ガード帯。
【請求項３】
請求項1及び請求項２に記載の陶芸用ロクロターンテーブル飛散防止ガード帯は、ターンテーブル外周にガード帯を巻き付け設置するため、外径プラス余白部分に分に市販の両面粘着テープまたは面ファスナーを使用して、輪の状態にして使用するものであり、突き合わせで輪にする場合は外径と同じ長さで付き合わせた部分に市販の粘着テープを使用し、そのテープで上下両端を挟むようにして貼り付け輪の状態に固定し使用するもので、紙で出来ているため使用後折りたたみが容易に出来コンパクトに収容可能な事を特徴としている陶芸用ロクロターンテーブル飛散防止ガード帯。
【考案の詳細な説明】
【技術分野】
【０００１】
本考案は、陶芸用のロクロのターンテーブル部分に装着する削りくずを防止するガード帯に関するものである。
【背景技術】
【０００２】
陶芸は、粘土を形にしてそれを生乾きまで乾燥させ、陶芸用削りカンナで側面等を削りながら形を整え完成させるものである。しかし、その段階でロクロの周囲に削りくずが飛散してしまうため、それを防ぐために陶芸をする者は、各自工夫しながら完成作業を進めているものと思われる。
【０００３】
陶芸は、形を整えるために作品を１個ずつロクロのターンテーブルに粘土の紐で固定し、ターンテーブルを回転させながら陶芸用カンナで側面等を削り、形を整えていくものである。
【０００４】
カンナの刃は、作品の側面を削るとき表面に対し平行もしくは斜めに当たるために、削りくずはターンテーブルの上面に落ちていく。落ちた削りくずは、ターンテーブルの回転による遠心力により、ターンテーブルの上には殆ど留まらず、周囲に飛散してしまうのである。
【０００５】
しかし、カンナ削りで飛散した削りくずを全部集めるためには時間がかかり、適度なところで集めるのを止めてしまうのが常である。また、削りくずは再生して使えるものであり、乾燥しきってからでは再生に手間取ってしまうので、それを防ぐためにも削り終えた直後に回収し再生させるのが最良の手段である。
【０００６】
陶芸でのカンナ削りの飛散を防ぐために、ロクロの外周に飛散防止ガード帯を設置しロクロのターンテーブル上に削りくずを留め置くことが必要である。削りを要する作品の設置と同時にロクロに飛散防止ガード帯を設置するので、飛散を気にすることなく削り作業に集中出来るものである。
【先行技術文献】
【特許文献】
【０００７】
【特許文献１】特開２００３‐３４０８１０
【特許文献２】実用新案登録番号  第３０５２６９４号
【考案の概要】
【考案が解決しようとする課題】
【０００８】
この飛散防止ガード帯で解決しようとする問題点は、粘土等で形成した作品を完成させる時、陶芸用カンナで作品の側面等の形を整える際に、ターンテーブルを回転させながら作品の側面をカンナで削る作業をするので、ターンテーブルの回転による遠心力により、削りくずがロクロの周囲に飛散してしまう点である。
【課題を解決するための手段】
【０００９】
本考案は、ロクロのターンテーブル外径に飛散防止ガード帯を巻き付け、遠心力により削りくずがロクロの周囲に飛散してしまうのを防ぎ、削りくずをガード帯によりターンテーブル上に留めておくためのものである。また、紙を使用するため、安価で軽量であり、しかもリサイクルができるので環境にも配慮出来るという利点がある。
【考案の効果】
【００１０】
本考案の飛散防止ガード帯はターンテーブル外径に設置するため、削りくずが外に飛び出さずに飛散防止ガード帯の内側ターンテーブル上に留まるため、一作品毎に削りくずをターンテーブルから下に落とし、設置また取り外しが容易に行えるため作品の仕上げ作業に集中出来、作業工程の労力のも軽減される。また、この飛散防止ガード帯を使用する時に、ロクロ台の下にシートを敷いておくと、最後にまとめて、削りくずを一括処理することが出来るため非常に便利であり、従来のように広範囲にわたって飛散した削りくずの収集のために要していた時間と労力を、大幅に軽減することが可能になる。
【００１１】
飛散防止ガード帯は既製の紙を使用できるので、制作が容易で安価であるために、使用者の経済的負担も軽減される飛散防止ガード帯ある。
【図面の簡単な説明】
【００１２】
【図１】図はターンテーブルに設置する飛散防止ガード帯である。
【図２】図はロクロと飛散防止ガード帯の断面図である。
【図３】図はロクロに飛散防止ガード帯を設置し上から見た図である。
【図４】図はロクロに飛散防止ガード帯を設置したときの断面図である。
【考案を実施するための形態】
【００１３】
飛散防止ガード帯の外側は、側面外側を防水コーティングした厚紙を使用し、内側は波状突起部分半径２〜３ｍｍ波状の幅４〜６ｍｍの波状のボール紙を使用する。長さは、 外側部分はターンテーブルの外径＋２０ｍｍ、内側の波状の紙は外径と同じか短めでも差し支えなく、波状の紙は、ターンテーブルからガード帯がずり落ちない役目と外周の強度を増すための役目も果たしている。高さは、外側部分はターンテーブルの厚さ＋内側の高さ、内側部分は３０〜６０mmであり、ターンテーブルに巻き付け、削りくずをガードするためには、重なった部分に市販の粘着テープまたは面ファスナーを使用して輪の状態にして使用する。また、突き合わせで輪にする場合は、外径と同じ長さで付き合わせた部分に市販の幅広粘着テープを使用し輪の状態で上下端を挟むように固定し、ロクロのターンテーブル外周に設置して使用する。
【００１４】
この飛散防止ガード帯は、紙を使用することにより安価で軽量しかもリサイクルができ、環境に配慮しているものである。
【００１５】
この飛散防止ガード帯は、紙を使用しているので輪の状態で固定し、使用後はターンテーブルから取り外し二折り四つ折りたたみが容易に出来るのでコンパクトに収容が可能になり、面ファスナーを使用した場合は、渦巻き状で直径５ｃｍ程度になるので輪ゴム等で止めて容易に携帯することが出来る。
【００１６】
この飛散防止ガード帯は、手回しロクロを想定しているが、電動ロクロの外周と同じくすると、電動ロクロにも使用でき、高さもカットして調整できるものである。また、作品の仕上げ時に使用するものであり、飛散防止ガード帯は殆ど汚れる事はないので汚れのふき取り等は必要がないものである。
【実施例】
【００１７】
図４が、本考案の手回しロクロに設置した飛散ガード帯の断面図である。
【産業上の利用可能性】
【００１８】
この飛散防止ガード帯は、個人の陶芸家が日常手軽に使用できる安価で軽量かつ環境に配慮した道具となっている。
【符号の説明】
【００１９】
１  側面を防水加工した厚紙で作った飛散防止ガード帯の外側
２  波状突起部分からなる内側
３  ターンテーブルへの着装部分
４  ターンテーブル外周に巻き付け固定する時の接着部分
５  飛散防止ガード帯を巻き付けた時の重なり部分
【図１】
0003158528.tif 000003
【図２】
0003158528.tif 000004
【図３】
0003158528.tif 000005
【図４】
0003158528.tif 000006
【手続補正書】
【提出日】平成21年12月21日(2009.12.21)
【手続補正１】
【補正対象書類名】実用新案登録請求の範囲
【補正対象項目名】全文
【補正方法】変更
【補正の内容】
【実用新案登録請求の範囲】
【請求項１】
手回し又は電動ロクロにおいて、粘土等の削りくずが回りに飛び散らないようにする為にターンテーブルの周囲に脱着自在に嵌合するリング状の飛散防止ガード帯を設置し、周囲に適度の高さの円形障壁を形成される様にしたことを特徴とする陶芸用ロクロターンテーブル飛散防止ガード帯。
【請求項２】
請求項１に記載の陶芸用ロクロターンテーブル飛散防止ガード帯は、 外側を防水加工した厚紙とし内側に波状の紙を使用して安価で軽量しかもリサイクルができ環境にも配慮されており、内側に貼り付けている波状の紙は、ターンテーブルからガード帯がずり落ちない役目と、さらに外周の紙の強度を増すための役目も果たし、紙で出来ているため高さも自分で使いやすいようにカットできることを特徴としている。        
【請求項３】
請求項１または請求項２に記載の陶芸用ロクロターンテーブル飛散防止ガード帯は、ターンテーブル外周にガード帯を巻き付け設置するため、外径プラス余白部分に両面粘着テープまたは面ファスナーを使用して、輪の状態にして使用するものであり、突き合わせで輪にする場合は外径と同じ長さで付き合わせた部分に粘着テープを使用し、そのテープで上下両端を挟むようにして貼り付け輪の状態に固定し使用するもので、紙で構成しているため使用後渦巻き状または折り畳みが容易に出来るので、コンパクトに収納可能なことを特徴とする陶芸用ロクロターンテーブル飛散防止ガード帯。  
【手続補正書】
【提出日】平成22年2月2日(2010.2.2)
【手続補正１】
【補正対象書類名】実用新案登録請求の範囲
【補正対象項目名】全文
【補正方法】変更
【補正の内容】
【実用新案登録請求の範囲】
【請求項１】
手回し又は電動ロクロにおいて、粘土等の削りくずが回りに飛び散らないようにする為にターンテーブルの周囲に脱着自在に嵌合するリング状の飛散防止ガード帯を設置し、周囲に適度の高さの円形障壁を形成される様にしたことを特徴とする陶芸用ロクロターンテーブル飛散防止ガード帯。
【請求項２】
請求項１に記載の陶芸用ロクロターンテーブル飛散防止ガード帯は、外側を防水加工した厚紙とし内側に波状の紙を使用して安価で軽量しかもリサイクルができ環境にも配慮されており、内側に貼り付けている波状の紙は、ターンテーブルからガード帯がずり落ちない役目と、さらに外周の紙の強度を増すための役目も果たし、紙で出来ているため高さも自分で使いやすいようにカットできることを特徴とする陶芸用ロクロターンテーブル飛散防止ガード帯。      
【請求項３】
請求項１または請求項２に記載の陶芸用ロクロターンテーブル飛散防止ガード帯は、ターンテーブル外周にガード帯を巻き付け設置するため、外径プラス余白部分に両面粘着テープまたは面ファスナーを使用して、輪の状態にして使用するものであり、突き合わせで輪にする場合は外径と同じ長さで付き合わせた部分に粘着テープを使用し、そのテープで上下両端を挟むようにして貼り付け輪の状態に固定し使用するもので、紙で構成しているため使用後渦巻き状または折り畳みが容易に出来るので、コンパクトに収納可能なことを特徴とする陶芸用ロクロターンテーブル飛散防止ガード帯。